(57)【要約】【課題】お礼やお返し等を少額の現金、しかも硬貨類で行う事は、たとえそれが妥当な額であってもやり難いものである。本発明は、そうした場合でも気がねなく差し出せて、気持ち良く受取ってもらえる方法を提供するものである。【解決手段】硬貨類を、見栄え良くデザインされた綺麗なカードに１枚づつキチンと並べ保持し差し出す事、さらには必要に応じ５円や５０円、５００円等の頭に５の付くものを使用したり、そのグッズにメッセージや願い事を書いた紙やおみくじ等を一緒に入れる事により解決した。図３はお礼用のグッズで、紙の押え部５と受け部６との間に５００円硬貨を２枚挟み保持した例である。硬貨が外から見えるように正面側（図３のイ）にコイン２より小さい大きさのコイン穴４を設けた。正面側と背面側（図３のロ）には文字を印刷。模様や図柄を印刷すればさらに綺麗になる。メッセージやくじ等は平面図（図３のハ）に示す挿入口９からカードの中に入れる。【選択図】    図３
2004231295.tif 000002
【特許請求の範囲】
【請求項１】
シート状物３の間にコイン２を保持する構造のグッズ１において、コイン２が外から見えるようにコイン２の位置に対応させてコイン２より小さい大きさのコイン穴４をシート状物３に設けると共に、コイン２を複数枚保持させる場合にはコイン２が重なる事のないように１枚づつ並べて配置し、さらにグッズ１の表面や裏面に図案や写真或いは文字等を印刷や貼付け、書込み等した事を特徴とした贈呈や記念用のグッズ。
【請求項２】
保持させるコイン２として、５円や５０円、５００円等のその頭に５の数字が付く硬貨を使用する事を特徴とした請求項１に記載の贈呈や記念用のグッズ。
【請求項３】
複数枚のコイン２を保持する構造のグッズ１において、コイン２を挟み保持するシート状物３同士を付着させる際、隣接するコイン２の端部間のスペースＡの部分には付着剤を使用せず、コイン２を挟み保持しているシート状物３同士がそのスペースＡの部分にて付着の状態にない構造とする事を特徴とした請求項１及び２に記載の贈呈や記念用のグッズ。
【請求項４】
シート状物３を折り曲げその間にコイン２を挟み保持する構造のグッズ１において、折り曲げたシート状物３の折れ線７の方の端部側にコイン穴４を設け、その上にコイン２を配置した後、片面のみに付着剤付きのテープ８でそのコイン２をシート状物３に付着固定させ、さらに、折れ線７とは反対側の端部でシート状物３同士を付着固定する事により、テープ８の付着剤の付いてない面とその面と対峙しているシート状物３とが付着の状態にない構造とする事を特徴とした請求項１及び２に記載の贈呈や記念用のグッズ。
【請求項５】
シート状物３の間にコイン２を保持する構造のグッズ１において、コイン２を挟んだシート状物３の間に形成された付着の状態にない構造部分に、メッセージ紙類やくじ類を挿入保持させる事を特徴とした請求項１から４に記載の贈呈や記念用のグッズ。
【発明の詳細な説明】
【発明の詳細な説明】
【技術分野】
【０００１】  本発明は、硬貨や記念コイン等のコインを見栄え良くデザインされたシート状物の間に挟み込み、お礼とかお祝い、挨拶、縁起かつぎ等の際に贈呈用や記念用として使用するグッズに関するものである。
【背景技術】
【０００２】  現在硬貨類の贈呈はむき出しのままとか、或いは封筒やプチ袋、ポリ袋等に入れて差し出すのが一般的である。むき出しとかポリ袋で差し出す時は、中味は見えるし、金額は分かるし、しかも多額ではないので、子供やマニアへのプレゼントは別として、大変差し出し難いものである。中味が見えない様に封筒とかプチ袋に入れて差し出す方法もあるが、やはり気苦労するものである。そうした場合を想定し「小袋付き贈物用袋」（実用新案登録第３０７２２６７号）も提案されているが、重用されるまでには至っていない。また、記念用にしても状況は同じ様なものであり、高価値のコインとかマニア向けのものとかは別として、一般にはあまり歓迎されていない。
【発明が解決しようとする課題】
【０００３】  お礼やお返し、こころ付け、お祝い、挨拶、記念、プレゼント等をお金で、しかも少額、例えば１，０００円前後程度以内を硬貨で、と考える場合など、贈る側も貰う側も気苦労や抵抗感、本音等があり複雑である。例えば、贈る側としては、少額の現金しかもそれが硬貨である場合、たとえそれがお礼やお返し等の内容に見合った妥当なものであると思っても、礼を失し気分を害してしまうのではないだろうかと心配してしまう。それでも金額が２千円〜３千円程度以上になれば多少受け入れられる場合もあるだろうが、それより少ない場合には品物にしてしまう。一方、贈られる側としては「なんだ少額、しかも硬貨か」という気持がある反面、不急不要の品物よりも妥当な額であれば少額でも現金の方が有り難いという複雑な気持もある。
【０００４】  即ち、少額の現金、しかもそれが硬貨類となれば上述の様な問題やミスマッチがあるのに、贈る方法はむき出しとか封筒やプチ袋、ポリ袋入り等の従来からの味気ないありきたりの方法であり、一層問題を複雑にしている感がある。
そこで、本発明は、少額の硬貨類であってもその額がお礼やお返し等に見合った妥当なものであれば、「これは嬉しい」と喜んで受取ってもらえたり、記念にしてもらえる方法を提供する事を狙いとするものである。
【課題を解決するための手段】
【０００５】  本発明は、上記課題を、請求項１に記載の方法、即ち、シート状物３の間にコイン２を保持する構造のグッズ１において、コイン２が外から見えるようにコイン２の位置に対応させてコイン２より小さい大きさのコイン穴４をシート状物３に設けると共に、コイン２を複数枚保持させる場合にはコイン２が重なる事のないように１枚づつ並べて配置し、さらにグッズ１の表面や裏面に図案や写真或いは文字等を印刷や貼付け、書込み等した事を特徴としたグッズ１により解決した。
【０００６】  こうする事により、コイン２はグッズの中にキチンと１枚づつ並べて収納保持され、しかもそれを外から認識でき気持ち良く、その上グッズ自体がいろいろの形にデザイン出来、且つその表面や裏面にも図柄や写真、文字を印刷したりしておくので、大変見栄えのよい綺麗なグッズに入った状態で差し出すことが出来、貰う方もお礼やお返しを単にお金で、しかも硬貨で、という嫌な気持ちではなく受取ることが出来るものである。
【０００７】  さらに、請求項２に記載の方法、即ち、保持させるコイン２として、５円や５０円、５００円等のその頭に「５」の数字が付く硬貨を使用する事により解決した。古来から我が国では「５」は「ご縁」に通じるとして大変縁起がよいものとされている。したがって、頭に「５」の数字の付く硬貨を使用すれば、少額の硬貨であっても「今後共、より良きご縁の継続を願っています」という気持ちを込めたものとして差し出し、気持ち良く受取ってもらえるための方法である。
【０００８】  さらには、請求項３に記載の方法、即ち、複数枚のコイン２を保持する構造のグッズ１において、コイン２を挟み保持するシート状物３同士を付着させる際、隣接するコイン２の端部間のスペースＡの部分には付着剤を使用せず、コイン２を挟み保持しているシート状物３同士がそのスペースＡの部分にて付着の状態にない構造とする事により解決した。
【０００９】  上記請求項１から２に記載のグッズ１でも前述の課題は解決しているが、さらにこのグッズ１にこちらの気持を伝えるためのメッセージを書いた紙などをさりげなく入れておけば課題解決にはなお一層効果的である事が分かった。そこで、そうしたメッセージ紙類を入れる事の出来る構造のグッズ１を提供するのが本請求項３である。本方法でグッズ１を作れば、コイン２を挟み保持しているシート状物３同士が付着していない空間部分が得られ、ここにメッセージ紙を入れる事が出来る。ここにはメッセージ紙以外のもの、例えば願い事を書いた紙や各種のくじ類（おみくじ、番号くじ、抽選くじ等）も入れる事が出来、グッズ１の使い勝手をさらに多岐なものとしてくれるものである。
【００１０】    さらには、請求項４に記載の方法、即ち、シート状物３を折り曲げその間にコイン２を挟み保持する構造のグッズ１において、折り曲げたシート状物３の折れ線７の方の端部側にコイン穴４を設け、その上にコイン２を配置した後、片面のみに付着剤付きのテープ８でそのコイン２をシート状物３に付着固定させ、さらに、折れ線７とは反対側の端部でシート状物３同士を付着固定する事により、テープ８の付着剤の付いてない面とその面と対峙しているシート状物３とが付着の状態にない構造とする事により解決した。
本請求項４の方法も、メッセージ紙類やくじ類を保持出来る構造のグッズ１を提供する製造方法である。
【００１１】    さらには、請求項５に記載の方法、即ち、シート状物３の間にコイン２を保持する構造のグッズ１において、コイン２を挟んだシート状物３の間に形成された付着の状態にない構造部分に、メッセージ紙類やくじ類を挿入保持させる事により解決した。
メッセージ紙類やくじ類をグッズ１の中に保持させて差し出すことにより、単なる硬貨だけでなくこちらの気持や楽しみも一緒に贈る形となり、気苦労や心配なく贈る事が出来る上に、メッセージ類は記念ともなり大変喜んで頂けるものである。なお、シート状物３の間に形成される付着の状態にない構造空間は、請求項３や４等の方法で形成する事が出来る。
【００１２】  シート状物３の素材としては、紙やプラスチック、或いはそれらを組合せたもの、或いはそれらを主材とした複合材等が適している。コイン２としては、一般に流通している硬貨や各種の記念発行コイン類を使用できるが、その中でも頭に「５」の数字のつく硬貨が特に喜ばれ適している。叉、１個のグッズ１に保持されるコイン２の数は１枚でも複数枚でもよい。複数枚の時、コイン２の種類は同じでも異なる種類のものを組合わせても差し支えないが、２枚以上重ねず必ず１枚づつ並べて配置する。その時、その各コインに対応させコイン穴４を設け、各コインが外から見えるようにする。そのコイン穴４の大きさや形状としては、コイン２より小さい大きさでコイン２を保持、認識できるものであれば支障なく、円形状、だ円形状、多角形状、星形状、これらの組合せ形状等、デザイン性を考慮して選ぶことが出来る。以下、実施例にもとづき本発明をさらに説明する。
【実施例１】
【００１３】  本実施例は、コイン２として５００円硬貨２枚を入れ、またメッセージ紙も入れたグッズ１の実施例で、お礼用に使うものである。図１にグッズ１のシート状物３の展開図を、図２にテープ８と５００円硬貨とを配置した図を、図３に組立て出来上がり図を示す。【００１４】  シート状物３としては紙を使用し、その紙を図１に示す様な形状の矩形状にカットする。図１の（イ）はグッズ１の展開図で、貼り合せ面となる内側面を、（ロ）は図柄や文字をデザイン印刷した外側面を示す。図１で、シート状物３が上下二つ折りとなる位置を折れ線７とし、その折れ線７の上方部分を押え部５、下方部分を受け部６とし、押え部５の折れ線７の近くに円形のコイン穴４を２ヶ並べて設ける。コイン穴４の大きさは５００円硬貨より小さいものとする。【００１５】  また、お礼用に使うグッズであるので、図１の（ロ）に示す様に、その外側面となる部分の押え部５の方の面に「有り難うございました」という言葉を、受け部６の方の面に「お車代です（向井）」という言葉を印刷しておく。【００１６】  このようにして形成されたシート状物３を請求項３に記載の方法で、次の様に図３に示すグッズ１に組み立てる。即ち、図２に示す様に、シート状物３の内側面にテープ８を貼付け、５００円硬貨を配置する。テープ８としては両面テープを使用し受け部６の方の面に貼る。その際、図２に示す様に、隣接する５００円硬貨の端部間のスペースＡの部分には貼らない。硬貨をコイン穴４に対応させて配置後、両面テープのガード紙を剥がして、シート状物３を折れ線７に沿って硬貨が押え部５と受け部６との間に挟み込まれる様に折り曲げる。折り曲げながら押え部５と受け部６とが付着し硬貨をその間にしっかり保持するように押え貼り合わせる。組立てられたグッズ１の正面（表面）図を図３の（イ）に、背面（裏面）図を（ロ）に、平面図を（ハ）に示す。【００１７】  上述のように組み立てられたグッズ１には、図３の（ハ）に示す様に、メッセージ紙等の挿入口９が、図２の貼り合わされないスペースＡの部分に対応して形成される。そこからメッセージ紙等を、押え部５と受け部６との間に形成の付着の状態でない構造の空間に入れることが出来る。これを利用してちょっとしたお礼の言葉等を添えた形で差し出せば、硬貨でのお礼であっても、また近距離の人のお手伝いへのお礼であっても、気持のこもった洒落たものとして一層喜んで受け取ってもらえるものである。また、グッズ１の表面には図３の様にお礼の言葉等を印刷しているが、そのお礼の内容にあわせていろいろの模様や図柄等を印刷し見栄えよい物にデザインしておけばさらに喜ばれるものである。
【実施例２】
【００１８】  本実施例は、実施例１と同様に２枚の５００円硬貨を保持させた例であるが、実施例１と異なりメッセージ紙類を入れない例である。
図４は、図２と同様シート状物３の内側面を示し、その面に両面テープ８を付け５００円硬貨を配置した図である。但し、図２と異なりテープ８は受け部６の全面に貼り、押え部５と受け部６とがべた貼りとなるようにした。【００１９】  テープ８からガード紙を剥がし、硬貨をコイン穴４の位置に対応させた状態で押え部５と受け部６とを折れ線７で折り曲げ貼りあわせると、図３の（イ）、（ロ）に示すグッズ１が出来る。但し、全面貼付けであるので挿入口９は存在しない。メッセージ紙類を添えない時はこの様にして作ることも出来る。
【実施例３】
【００２０】  本実施例は、コイン２として５円硬貨１枚、それにおみくじを入れた縁起物の実施例である。図５にグッズ１のシート状物３の展開図を、図６に５円硬貨とテープ８をつけた図を、図７に組み立て出来上がり図を示す。縁起物のカードであるので、干支のひとつであるトラを図案化し描き、そのトラの図案に沿う形でシート状物３をカットしグッズ１の外形のデザインとした。【００２１】  図５はグッズ１のシート状物３の展開図で、図５の（イ）はその展開図の貼り合せ面となる内側面を、（ロ）は図柄や文字等を印刷した外側面を示す。実施例１と同じく折れ線７の上方を押え部５、下方を受け部６とした。押え部５の方は、その外側面にトラの絵を描きその足元には「商売繁盛」の文字を書き、折れ線７の方の端部側のトラの足の部分に５円硬貨より小さい大きさのコイン穴４を設け、また折れ線７とは反対側の端部にヒモ穴１０を設けた。受け部６の方は、その外側面の折れ線７に近い部分に「○○神社」と書き、折れ線７とは反対側の端部にヒモ穴１０を設け、中央部分には記載部１１を設けた。この記載部１１は日常の教訓などの好きな言葉等を書き入れたり、図案や写真などを印刷したりする為の部分である。【００２２】  この様にして形成されたシート状物３を請求項４に記載の方法にて図７に示すグッズ１に組み立てる。図６は、シート状物３の展開図の内側面に硬貨とテープ８とをセットした図である。まず、硬貨を折れ線７の方の端部側に設けたコイン穴４の上に置き、それを片面のみに粘着剤付きの片面タイプのテープ８ａで押え部５に貼り付け固定する。さらに折れ線７とは反対側の端部に、即ちヒモ穴１０の方に両面粘着剤付きの両面タイプのテープ８ｂを貼り、その両面テープ８ｂのガード紙を剥いだ後、折れ線７に沿って押え部５と受け部６とを折り曲げ、上と下のヒモ穴１０を貫通状態になるように貼り合せ固定し、図７のグッズ１を作る。その正面（表面）図を図７の（イ）に、背面（裏面）図を（ロ）に、右側面図を（ハ）に示す。【００２３】  押え部５と受け部６とを貼り合せる時、両者は両面タイプのテープ８ｂの部分で貼り合せし、片面タイプのテープ８ａの部分では、その面と受け部６とが貼り合わされない状態になっている。このため、図７の（ハ）に示す様に、そこの部分には挿入口９が形成されていて、ここからメッセージ紙類を、本実施例の場合縁起物のグッズであるのでそれに相応しくおみくじ類を、グッズ１内に挿入し保持させることが出来る。使用法や期待効果等は実施例１と同様である。【００２４】  実施例１と２ではグッズ１の形状は矩形状であったが、本実施例のように正面（表面）側に描かれた図柄に合わせた外形にデザインしてもよく、その他に円形状、だ円形状、多角形状、これらの組合せ形状、或いは各種のキャラクター等に合わせた形状等にすることも出来る。
【実施例４】
【００２５】  本実施例は、大会や行事等に参加した時の参加記念用のグッズであり、コイン２（１００円硬貨１枚と１０円硬貨２枚）を少額ではあるが飲み物代として贈呈する為保持させた例である。図８の（イ）にそのグッズ１の正面図を、（ロ）に背面（裏面）図を示す。【００２６】  シート状物３としてはプラスチックのシートを使用し、これを実施例２と同様の矩形状にカットし、メッセージ類は保持しないタイプの全面ベタ貼りの方法で作成した。但し、実施例２では、押え部５と受け部６とを折れ線７で区分して折り曲げて貼り合せたが、本実施例では折れ線７の部分で押え部６と受け部６とをカットし切り離して後、それらを貼り合わせた。即ち、図８の（イ）、（ロ）の様に切り離した後に貼り合わしたものであり、同図のこちら側が実施例２での外側面に相当し、向こう側の見えない面が貼り合わせ用の内側面に相当するものである。【００２７】  本実施例は参加記念用であるので、それに相応しく「参加記念、○○○大会、平成○年○月○日」の文字を、受け部６の表面側（図８の（イ）のこちら側面）に印刷し、また飲み物代入りという意味でコーヒーカップの絵も印刷した。押え部５には、図８の（ロ）に示す様に保持させた１００円硬貨と１０円硬貨用のコイン穴４ａと４ｂ（共に硬貨より小さい大きさの穴）とを設けた。１００円硬貨用のコイン穴４ａは六角形状とし、１０円硬貨用のコイン穴４ｂはだ円形状のデザインとした。【００２８】  この様に形成されたシート状物３の受け部６の貼り合せ面となる面（図８の（イ）の向こう側面）に粘着剤を全面塗布後、硬貨を押え部５と受け部６との間に挟んで貼り合せた。図８は貼り合せて出来上がったグッズ１の外側面でもあり、図８の（イ）はその正面（表面）図を、（ロ）はその背面（裏面）図を示す。
コイン２は少額の１２０円であっても、休憩時間等での自動販売機使用を想定し、参加記念用のグッズに保持させ配布すれば喜ばれるものであり、大会参加者集めの新しい方法等につながるものでもある。
【実施例５】
【００２９】  本実施例は５００円硬貨２ｃと５円硬貨２ｄを各１枚づつ保持させ、感謝セール用を目的に、ちょっと重厚な感じに仕上げた例である。図９の（イ）にその正面（表面）図を、（ロ）に背面（裏面）図を、（ハ）にＸ１−Ｘ２断面図を示す。【００３０】  グッズ１は、図９に示す様に、表装紙１２と保持体１３、保持シール１４とから成るもので、保持体１３としては硬貨とほぼ同じ厚みの発泡プラスチックを使用し、その中央部分に各硬貨をそれぞれ収納可能な穴を縦に並べて穿ち、そこに５００円硬貨と５円硬貨とを並べて収納させる。その表面側には、明るい色調の模様と「会員様限りの感謝セール  ○○電機」の文字とを印刷した表装紙１２を貼り付ける。その表装紙１２には、硬貨より小さい大きさのコイン穴４ｃ及び４ｄを硬貨の位置に対応させ設ける。また、裏面側には、裏面側からの硬貨の脱落防止用に、コイン穴４を設けていない保持シール１４を貼り付ける。【００３１】  本実施例は、上述のように、表装紙１２と保持シール１４との間に硬貨とほぼ同じ厚みの発泡プラスチックの保持体１３を挟む構造としたので、大変重厚な感じのものに仕上がった。この様に、シール状物３である表装紙１２と保持シール１４との間にコイン２とほぼ同じかそれ以下の厚みの保持体１３を挟む事もできるものである。【００３２】  また、本実施例では、保持体１３に表装紙１２と保持シール１４とを貼り合わせ作ったが、例えばプラスチックや紙、或いはこれらの複合材などを使用し保持体１３と表装紙１２とを、或いは保持体１３と保持シール１４とをあらかじめ一体的に形成しておき、コインを収納後に保持シール１４或いは表装紙１２を貼り付けるなどの方法で作る事も出来るものである。
【発明の効果】
【００３３】  少額のお金を、しかもそれが硬貨の場合、たとえお礼やお返し等の内容に見合った妥当な額だとしても、幼児や小さい子供以外への場合、贈る側も貰う側も気苦労や抵抗感、本音等があり複雑である。本発明は、こうした場合、見栄えよくデザインされた綺麗で気持良いグッズに、硬貨類を１枚づつキチンと並べ保持させ差し出す事により、さらには５円や５０円、５００円等のその頭に５の数字の付くものを使用する事や、さらにはメッセージや願い事等を書いた紙、あるいはおみくじや抽選くじ等のくじ類を一緒に入れる事により解決した。
【００３４】  即ち、少額の現金類、例えば１，０００円前後程度以内を硬貨類で差し出したとしても、むき出しとか味気ない袋類入りとかではなく、上述の工夫を加えたものであるため、お礼やお返し、心付け、お祝い、挨拶、プレゼントなどで妥当な額であれば、時にはそれより少ない額であっても、気持ち良く喜んで受け取ってもらえる上に、不急不要の品物よりも感謝されるという効果まであるものである。その結果、必要以上の額のお金を包んだり、或いは高価な品物でお返ししたりする事などもなくなり、応分の出費で済ます事が出来るという効果までも得られた。
【００３５】  さらに、グッズの形状や図柄などに工夫をすれば、販売促進用、イベントその他の記念用、自動販売機での飲み物代程度の少額プレゼント用、或いは縁起の良い図柄などをデザインすれば縁起物としても喜ばれ、特に５円硬貨などと抱き合わせれば「ご縁が２倍の縁起物」などとして大変喜ばれるものである。また、硬貨の代りに或いは硬貨と一緒に記念発行コインを保持させても、例えそれが高価値でないものであっても大変喜ばれる様になった。さらにはメッセージ紙類やくじ類を保持出来るようにしたため、ますます違和感なく贈呈や記念用等に使用する事が出来るようになった。
【図面の簡単な説明】
【図１】メッセージ紙挿入可能なお礼用のグッズの展開図を示す。
【図２】同上図にコインとテープをセットした図を示す。
【図３】お礼用のグッズの組み立て出来上がり図を示す。
【図４】全面貼り付けタイプのグッズの展開図を示す。
【図５】縁起物用のコイン入りグッズの展開図を示す。
【図６】同上図にコインとテープをセットした図を示す。
【図７】縁起物用のグッズの組み立て出来上がり図を示す。
【図８】大会等への参加記念用のグッズの実施例を示す。
【図９】販売促進用のグッズの実施例を示す。
【符号の説明】
１、グッズ
２、コイン
３、シート状物
４、コイン穴
５、押え部
６、受け部
７、折れ線
８、テープ
９、挿入口
１０、ヒモ穴
１１、記載部
１２、表装紙
１３、保持体
１４、保持シール
Ａ、スペース
【図１】
2004231295.tif 000003
【図２】
2004231295.tif 000004
【図３】
2004231295.tif 000005
【図４】
2004231295.tif 000006
【図５】
2004231295.tif 000007
【図６】
2004231295.tif 000008
【図７】
2004231295.tif 000009
【図８】
2004231295.tif 000010
【図９】
2004231295.tif 000011